【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
インクを吐出するための記録ヘッドと、
前記記録ヘッドからシートの第１の面にインクを吐出して記録を行い、且つ、前記第１の面に対する記録から少なくとも所定時間が経過した後に前記記録ヘッドから前記シートの前記第１の面の裏の第２の面にインクを吐出して記録を行うように制御する制御手段と、
前記第１の面に対する記録と、前記第２の面に対する記録と、の間に、前記シートの前記第１の面と前記第２の面が反転し、且つ、前記シートの搬送方向に沿った前側と後側が反転するように、前記シートを前記搬送方向に搬送する搬送手段と、
前記シートの前記第１の面上の、前記第１の面にインクを吐出する際の前記搬送方向における前記シートの後端領域を分割することにより得られる、第１の分割領域と、前記第１の分割領域と異なる第２の分割領域と、を少なくとも含む複数の分割領域のそれぞれへのインクの吐出量に関する情報を取得する取得手段と、
前記取得手段により取得された前記第１の分割領域へのインクの吐出量に関する情報と、前記第２の分割領域へのインクの吐出量に関する情報と、の組み合わせに基づいて、第１の所定時間候補を決定する第１の決定手段と、
前記第１の決定手段により決定された前記第１の所定時間候補に基づいて、前記所定時間を決定する第２の決定手段と、を有することを特徴とする記録装置。
【請求項２】
前記第１の分割領域へのインクの吐出量に関する情報と、前記第２の分割領域へのインクの吐出量に関する情報と、の組み合わせに応じた複数の所定時間候補を定めたデータテーブルを記憶する記憶手段を更に有し、
前記第１の決定手段は、前記記憶手段に記憶された前記データテーブルを参照することにより前記第１の所定時間候補を決定することを特徴とする請求項１に記載の記録装置。
【請求項３】
前記第１の決定手段は、前記取得手段により取得された前記情報が示す前記第１の分割領域へのインクの吐出量が第１の量であり、且つ、前記第２の分割領域へのインクの吐出量が第２の量である場合における前記第１の所定時間候補が、前記取得手段により取得された前記情報が示す前記第１の分割領域へのインクの吐出量が前記第１の量であり、且つ、前記第２の分割領域へのインクの吐出量が前記第２の量よりも多い第３の量である場合における前記第１の所定時間候補よりも短くなるように、前記第１の所定時間候補を決定することを特徴とする請求項１または２に記載の記録装置。
【請求項４】
前記複数の分割領域は、前記第１、第２の分割領域と異なる第３の分割領域を更に含み、
前記第２の分割領域は、前記後端領域内の前記搬送方向と交差する交差方向における一方の端部に位置し、
前記第３の分割領域は、前記後端領域内の前記交差方向における他方の端部に位置し、
前記第１の分割領域は、前記後端領域内の前記交差方向における前記第２、第３の分割領域の間に位置し、
前記第１の決定手段は、前記取得手段により取得された前記第１の分割領域へのインクの吐出量に関する情報と、前記第３の分割領域へのインクの吐出量に関する情報と、の組み合わせに基づいて、第２の所定時間候補を更に決定し、
前記第２の決定手段は、前記第１の決定手段により決定された前記第１、第２の所定時間候補に基づいて、前記所定時間を決定することを特徴とする請求項１から３のいずれか１項に記載の記録装置。
【請求項５】
前記第２の決定手段は、前記第１の決定手段により決定された前記第１、第２の所定時間候補のうちの長い所定時間候補を前記所定時間として決定することを特徴とする請求項４に記載の記録装置。
【請求項６】
前記第２の分割領域と前記第３の分割領域はそれぞれ、Ａ４サイズまたはレターサイズのシートにおいて、前記交差方向におけるシート全体幅の５％〜４０％の範囲の中のサイズを有し、前記搬送方向におけるシート全体長さの１０％〜８０％の範囲の中のサイズを有することを特徴とする請求項４または５に記載の記録装置。
【請求項７】
前記第１の決定手段は、前記第２の分割領域へのインクの吐出量に関する情報に対して前記第１の分割領域へのインクの吐出量に関する情報よりも重み付けをして前記第１の所定時間候補を決定し、且つ、前記第３の分割領域へのインクの吐出量に関する情報に対して前記第１の分割領域へのインクの吐出量に関する情報よりも重み付けをして前記第２の所定時間候補を決定することを特徴とする請求項４から６のいずれか１項に記載の記録装置。
【請求項８】
前記第１の決定手段は、前記取得手段により取得された前記情報が示す前記第２の分割領域へのインクの吐出量が所定の量以下である場合、前記第１の分割領域へのインクの吐出量に関する情報に関わらず同じ前記第１の所定時間候補を決定することを特徴とする請求項４から７のいずれか１項に記載の記録装置。
【請求項９】
前記第２の分割領域は、前記後端領域内の前記搬送方向における後端に位置し、
前記第１の分割領域は、前記後端領域内の前記第２の領域よりも前記搬送方向における後端から離れた位置に位置し、
前記第２の決定手段は、前記第１の決定手段により決定された前記第１の所定時間候補を前記所定時間として決定することを特徴とする請求項１から３のいずれか１項に記載の記録装置。
【請求項１０】
前記第１の決定手段は、前記第２の分割領域へのインクの吐出量に関する情報に対して前記第１の分割領域へのインクの吐出量に関する情報よりも重み付けをして前記第１の所定時間候補を決定することを特徴とする請求項９に記載の記録装置。
【請求項１１】
Ａ４サイズまたはレターサイズのシートにおいて、前記第２の分割領域は、前記搬送方向におけるシート全体長さの３％〜１５％の範囲の中のサイズを有し、前記第１の分割領域は、前記搬送方向におけるシート全体長さの１０％〜８０％の範囲の中のサイズを有することを特徴とする請求項９または１０記載の記録装置
【請求項１２】
前記複数の分割領域は、前記第１、第２の分割領域と異なる第３、第４の分割領域を更に含み、
前記第２の分割領域は、前記後端領域内の前記搬送方向と交差する交差方向における一方の端部に位置し、
前記第３の分割領域は、前記後端領域内の前記交差方向における他方の端部に位置し、
前記第１の分割領域は、前記後端領域内の前記交差方向における前記第２、第３の分割領域の間に位置し、
前記第４の分割領域は、前記後端領域内の前記搬送方向における後端に位置し、
前記第１の決定手段は、前記取得手段により取得された前記第１の分割領域へのインクの吐出量に関する情報と、前記第３の分割領域へのインクの吐出量に関する情報と、の組み合わせに基づいて、第２の所定時間候補を更に決定し、且つ、前記取得手段により取得された前記第１の分割領域へのインクの吐出量に関する情報と、前記第４の分割領域へのインクの吐出量に関する情報と、の組み合わせに基づいて、第３の所定時間候補を更に決定し、
前記第２の決定手段は、前記第１の決定手段により決定された前記第１、第２、第３の所定時間候補に基づいて、前記所定時間を決定することを特徴とする請求項１から３のいずれか１項に記載の記録装置。
【請求項１３】
前記第２の決定手段は、前記第１の決定手段により決定された前記第１、第２、第３の所定時間候補のうちの最も長い所定時間候補を前記所定時間として決定することを特徴とする請求項１２に記載の記録装置。
【請求項１４】
Ａ４サイズまたはレターサイズのシートにおいて、前記第２の分割領域と前記第３の分割領域はそれぞれ、前記交差方向におけるシート全体幅の５％〜４０％の範囲の中のサイズを有し、前記搬送方向におけるシート全体長さの１０％〜８０％の範囲の中のサイズを有し、前記第４の領域は、前記搬送方向におけるシート全体長さの３％〜１５％の範囲の中のサイズを有することを特徴とする請求項１２または１３に記載の記録装置。
【請求項１５】
前記第１の決定手段は、前記第２の分割領域へのインクの吐出量に関する情報に対して前記第１の分割領域へのインクの吐出量に関する情報よりも重み付けをして前記第１の所定時間候補を決定し、前記第３の分割領域へのインクの吐出量に関する情報に対して前記第１の分割領域へのインクの吐出量に関する情報よりも重み付けをして前記第２の所定時間候補を決定し、且つ、前記第４の分割領域へのインクの吐出量に関する情報に対して前記第１の分割領域へのインクの吐出量に関する情報よりも重み付けをして前記第３の所定時間候補を決定することを特徴とする請求項１２から１４のいずれか１項に記載の記録装置。
【請求項１６】
前記第１の決定手段は、前記第２の分割領域へのインクの吐出量に関する情報と、前記第３の分割領域へのインクの吐出量に関する情報と、に対して、それぞれ前記第４の分割領域へのインクの吐出量に関する情報へのインクの吐出量に関する情報よりも重み付けをして前記第１、第２、第３の所定時間候補を決定することを特徴とする請求項１５に記載の記録装置。
【請求項１７】
前記第４の分割領域は、前記交差方向において２つの前記第４の分割領域に分離していることを特徴とする請求項１２から１６のいずれか１項に記載の記録装置。
【請求項１８】
前記所定時間は、前記シートを待機させるための待機時間であることを特徴とする請求項１から１７のいずれか１項に記載の記録装置。
【請求項１９】
前記取得手段は、１つの前記分割領域をグリッドで分割し、分割された単位グリッドにそれぞれ吐出されるインクの吐出量を画像データから計算して、前記分割領域へのインクの吐出量を取得することを特徴とする請求項１から１８のいずれか１項に記載の記録装置。
【請求項２０】
前記取得手段は、複数の前記単位グリッドに吐出されるインクの吐出量の最大値をグリッド列ごとに求めて平均化することにより、前記分割領域へのインクの吐出量を取得することを特徴とする請求項１９に記載の記録装置。
【請求項２１】
インクを吐出するための記録ヘッドと、
前記記録ヘッドからシートの第１の面にインクを吐出して記録を行い、且つ、前記第１の面に対する記録から少なくとも所定時間が経過した後に前記記録ヘッドから前記シートの前記第１の面の裏の第２の面にインクを吐出して記録を行うように制御する制御手段と、
前記第１の面に対する記録と、前記第２の面に対する記録と、の間に、前記シートの前記第１の面と前記第２の面が反転し、且つ、前記シートの搬送方向に沿った前側と後側が反転するように、前記シートを前記搬送方向に搬送する搬送手段と、
前記シートの前記第１の面上の、前記第１の面にインクを吐出する際の前記搬送方向における前記シートの後端領域を分割することにより得られる、第１の分割領域と、前記第１の分割領域と異なる第２の分割領域と、を少なくとも含む複数の分割領域のそれぞれへのインクの吐出量に関する情報を取得する取得手段と、
前記取得手段により取得された前記第１の分割領域へのインクの吐出量に関する情報と、前記第２の分割領域へのインクの吐出量に関する情報と、に基づいて前記所定時間を決定する決定手段と、を有する記録装置であって、
前記決定手段は、第１の分割領域へのインクの吐出量が所定の量である場合の所定時間として、前記第２の分割領域へのインクの吐出量に応じた複数の所定時間候補を示し、且つ、第２の分割領域へのインクの吐出量が所定の量である場合の所定時間として、前記第１の分割領域へのインクの吐出量に応じた複数の所定時間候補を示すデータテーブルを参照することにより、前記所定時間を決定することを特徴とする記録装置。
【請求項２２】
インクを吐出するための記録ヘッドを用いて画像を記録する記録方法であって、
前記記録ヘッドからシートの第１の面にインクを吐出して記録を行い、且つ、前記第１の面に対する記録から少なくとも所定時間が経過した後に前記記録ヘッドから前記シートの前記第１の面の裏の第２の面にインクを吐出して記録を行うように制御し、
前記第１の面に対する記録と、前記第２の面に対する記録と、の間に、前記シートの前記第１の面と前記第２の面が反転し、且つ、前記シートの搬送方向に沿った前側と後側が反転するように、前記シートを前記搬送方向に搬送し、
前記シートの前記第１の面上の、前記第１の面にインクを吐出する際の前記搬送方向における前記シートの後端領域を分割することにより得られる、第１の分割領域と、前記第１の分割領域と異なる第２の分割領域と、を少なくとも含む複数の分割領域のそれぞれへのインクの吐出量に関する情報を取得し、
取得された前記第１の分割領域へのインクの吐出量に関する情報と、前記第２の分割領域へのインクの吐出量に関する情報と、の組み合わせに基づいて、第１の所定時間候補を決定し、
決定された前記第１の所定時間候補に基づいて、前記所定時間を決定することを特徴とする記録方法。
【請求項２３】
取得された前記情報が示す前記第１の分割領域へのインクの吐出量が第１の量であり、且つ、前記第２の分割領域へのインクの吐出量が第２の量である場合における前記第１の所定時間候補が、取得された前記情報が示す前記第１の分割領域へのインクの吐出量が前記第１の量であり、且つ、前記第２の分割領域へのインクの吐出量が前記第２の量よりも多い第３の量である場合における前記第１の所定時間候補よりも短くなるように、前記第１の所定時間候補を決定することを特徴とする請求項２２に記載の記録方法。
【請求項２４】
前記複数の分割領域は、前記第１、第２の分割領域と異なる第３の分割領域を更に含み、
前記第２の分割領域は、前記後端領域内の前記搬送方向と交差する交差方向における一方の端部に位置し、
前記第３の分割領域は、前記後端領域内の前記交差方向における他方の端部に位置し、
前記第１の分割領域は、前記後端領域内の前記交差方向における前記第２、第３の分割領域の間に位置し、
取得された前記第１の分割領域へのインクの吐出量に関する情報と、前記第３の分割領域へのインクの吐出量に関する情報と、の組み合わせに基づいて、第２の所定時間候補に関する情報を更に決定し、
決定された前記第１、第２の所定時間候補に基づいて、前記所定時間を決定することを特徴とする請求項２２または２３に記載の記録方法。
【請求項２５】
決定された前記第１、第２の所定時間候補のうちの長い所定時間候補を前記所定時間として決定することを特徴とする請求項２４に記載の記録方法。
【手続補正２】
【補正対象書類名】明細書
【補正対象項目名】発明の名称
【補正方法】変更
【補正の内容】
【発明の名称】記録装置および記録方法
【手続補正３】
【補正対象書類名】明細書
【補正対象項目名】０００１
【補正方法】変更
【補正の内容】
【０００１】
本発明は、シートの両面に画像を記録することができる記録装置および記録方法に関する。
【手続補正４】
【補正対象書類名】明細書
【補正対象項目名】０００７
【補正方法】変更
【補正の内容】
【０００７】
上述の課題を解決する本発明は、インクを吐出するための記録ヘッドと、前記記録ヘッドからシートの第１の面にインクを吐出して記録を行い、且つ、前記第１の面に対する記録から少なくとも所定時間が経過した後に前記記録ヘッドから前記シートの前記第１の面の裏の第２の面にインクを吐出して記録を行うように制御する制御手段と、前記第１の面に対する記録と、前記第２の面に対する記録と、の間に、前記シートの前記第１の面と前記第２の面が反転し、且つ、前記シートの搬送方向に沿った前側と後側が反転するように、前記シートを前記搬送方向に搬送する搬送手段と、前記シートの前記第１の面上の、前記第１の面にインクを吐出する際の前記搬送方向における前記シートの後端領域を分割することにより得られる、第１の分割領域と、前記第１の分割領域と異なる第２の分割領域と、を少なくとも含む複数の分割領域のそれぞれへのインクの吐出量に関する情報を取得する取得手段と、前記取得手段により取得された前記第１の分割領域へのインクの吐出量に関する情報と、前記第２の分割領域へのインクの吐出量に関する情報と、の組み合わせに基づいて、第１の所定時間候補を決定する第１の決定手段と、前記第１の決定手段により決定された前記第１の所定時間候補に基づいて、前記所定時間を決定する第２の決定手段と、を有することを特徴とする。